(57)【要約】【課題】パーティングラインが形成されることがなく、変化に富んだ形状にすることができる一次成形品の二次成形方法及び二次成形装置を提供する。【解決手段】合成樹脂材料又は硝子材料で成形された筒状の側壁部１Ａを有する一次成形品１を二次成形する一次成形品の二次成形方法であって、前記一次成形品１を成形型４の内側に配置し、その状態で前記一次成形品１を回転させながら加熱することによって一次成形品１の側壁部１Ａを前記成形型４の成形面４１１，４２１に沿うように変形させる変形工程を備えている。【選択図】  図１
2017087455.tif 000002
【特許請求の範囲】
【請求項１】
合成樹脂材料又は硝子材料で成形された筒状の側壁部を有する一次成形品を二次成形する一次成形品の二次成形方法であって、前記一次成形品を成形型の内側に配置し、その状態で前記一次成形品を回転させながら加熱することによって該一次成形品の側壁部を前記成形型の成形面に沿うように変形させる変形工程を備えていることを特徴とする一次成形品の二次成形方法。
【請求項２】
前記一次成形品を、軟化点以上で融点未満の温度になるように加熱することを特徴とする請求項１に記載の一次成形品の二次成形方法。
【請求項３】
前記一次成形品が、前記側壁部と、該側壁部の一端を閉じる底部とを有する有底筒状の容器からなり、前記変形工程を実行中に前記開口側端を底部側へ押圧する押圧工程を備えていることを特徴とする請求項１又は２に記載の一次成形品の二次成形方法。
【請求項４】
合成樹脂材料又は硝子材料で成形された筒状の側壁部を有する一次成形品を二次成形する一次成形品の二次成形装置であって、前記一次成形品を加熱する加熱部と、該加熱部で加熱される一次成形品を回転させる回転部と、該回転部で回転させることによって外側に変形する前記一次成形品を受け止めて所定形状に成形するための成形面を有する成形型と、を備えていることを特徴とする一次成形品の二次成形装置。
【請求項５】
前記加熱部は、前記一次成形品を、軟化点以上で融点未満の温度になるように加熱するように構成されていることを特徴とする請求項４に記載の一次成形品の二次成形装置。
【請求項６】
前記一次成形品が、前記側壁部と、該側壁部の一端を閉じる底部とを有する有底筒状の容器からなり、前記加熱部で加熱されて変形可能となった前記容器の開口側端を底部側へ押圧する押圧部を備えていることを特徴とする請求項４又は５に記載の一次成形品の二次成形装置。
【発明の詳細な説明】
【技術分野】
【０００１】
本発明は、合成樹脂材料又は硝子材料で成形された一次成形品を二次成形する一次成形品の二次成形方法及び二次成形装置に関する。
【背景技術】
【０００２】
かかる一次成形品は、材料となる合成樹脂を溶融し、溶融した合成樹脂を成形型内に所定の圧力で射出して成形される（特許文献１）、あるいは成形型の内部に、チューブ状のパリソンを位置させ、そのパリソンの内部に圧力エアを吹き込んで膨らませることによって、成形型の成形面にパリソンを押し付けて成形される（特許文献２）。
【先行技術文献】
【特許文献】
【０００３】
【特許文献１】特開平６−２９７４６８号公報
【特許文献２】実開平６−５３１２７号公報
【発明の概要】
【発明が解決しようとする課題】
【０００４】
上記射出成形及びブロー成形のいずれの成形方法においても、容器を多少の凹凸部を有する形状に成形することができるものの、それ以上の凹凸部を有する変化に富んだ形状にしようとすれば、成形型を複数の分割成形型から構成しなければならない。このように複数の分割成形型で構成された成形型に圧力で押し付けられて成形される成形品の表面の分割成形型同士の接合部（繋ぎ目）に対応する部分に、パーティングラインが突出形成される。このようなパーティングラインが形成された成形品は、見栄えが悪く、商品価値を低下させるものになり、早期の改善が要望されている。
【０００５】
そこで、本発明は、かかる事情に鑑みてなされたもので、パーティングラインが形成されることがなく、変化に富んだ形状にすることができる一次成形品の二次成形方法及び二次成形装置を提供することを課題とする。
【課題を解決するための手段】
【０００６】
本発明に係る一次成形品の二次成形方法は、合成樹脂材料又は硝子材料で成形された筒状の側壁部を有する一次成形品を二次成形する一次成形品の二次成形方法であって、前記一次成形品を成形型の内側に配置し、その状態で前記一次成形品を回転させながら加熱することによって該一次成形品の側壁部を前記成形型の成形面に沿うように変形させる変形工程を備えていることを特徴とする。
【０００７】
本発明によれば、一次成形品を成形型の内側に配置し、その状態で一次成形品を回転させながら加熱することによって、軟化状態となった一次成形品の側壁部が回転による遠心力を受けて外側へ変形する。その変形する一次成形品が成形型の成形面に沿うように変形することによって、側壁部を変化に富んだ所望の形状の二次成形品にすることができる。そして、軟化状態となった一次成形品が遠心力を受けて変形するものであるため、成形型が複数の分割成形型から構成されていても、分割成形型同士の接合部（繋ぎ目）に強固な力で押し付けられることがないため、二次成形品の表面の分割成形型同士の接合部（繋ぎ目）に対応する部分に、パーティングラインが突出形成されることがない。また、前記変形により二次成形品の肉厚が薄い部分と厚い部分とが混在する肉厚のバラツキ（偏肉）が発生することによって、更に変化の富んだ二次成形品を得ることができる。
【０００８】
また、本発明に係る一次成形品の二次成形方法は、前記一次成形品を、軟化点以上で融点未満の温度になるように加熱する構成であることが好ましい。
【０００９】
上記のように、一次成形品を、軟化点以上で融点未満の温度になるように加熱することによって、一次成形品を確実に軟化させて変形させることができる。
【００１０】
また、本発明に係る本発明に係る一次成形品の二次成形方法は、前記一次成形品が、前記側壁部と、該側壁部の一端を閉じる底部とを有する有底筒状の容器からなり、前記変形工程を実行中に前記開口側端を底部側へ押圧する押圧工程を備えていてもよい。
【００１１】
上記のように、変形工程を実行中に押圧工程で開口側端を底部側へ押圧することによって、側壁部の外側への変形を迅速に行うことができ、二次成形にかかる時間を短縮することができる。
【００１２】
また、本発明に係る一次成形品の二次成形装置は、合成樹脂材料又は硝子材料で成形された筒状の側壁部を有する一次成形品を二次成形する一次成形品の二次成形装置であって、前記一次成形品を加熱する加熱部と、該加熱部で加熱される一次成形品を回転させる回転部と、該回転部で回転させることによって外側に変形する前記一次成形品を受け止めて所定形状に成形するための成形面を有する成形型と、を備えていることを特徴とする。
【００１３】
本発明によれば、加熱部で加熱する一次成形品を回転部で回転させることによって、軟化状態となった一次成形品の側壁部が回転による遠心力を受けて外側へ変形する。その変形する一次成形品の側壁部を成形型の成形面で受け止めて所定形状に変形させることによって、側壁部を変化に富んだ所望の形状の二次成形品にすることができる。そして、軟化状態となった一次成形品が遠心力を受けて変形するものであるため、成形型が複数の分割成形型から構成されていても、分割成形型同士の接合部（繋ぎ目）に強固な力で押し付けられることがないため、二次成形品の表面の分割成形型同士の接合部（繋ぎ目）に対応する部分に、パーティングラインが突出形成されることがない。また、前記変形により二次成形品の肉厚が薄い部分と厚い部分とが混在する肉厚のバラツキ（偏肉）が発生することによって、更に変化の富んだ二次成形品を得ることができる。
【００１４】
また、本発明に係る一次成形品の二次成形装置は、前記加熱部は、前記一次成形品を、軟化点以上で融点未満の温度になるように加熱するように構成されていることが望ましい。
【００１５】
上記のように、加熱部が、一次成形品を軟化点以上で融点未満の温度になるように加熱することによって、一次成形品を確実に軟化させて変形させることができる。
【００１６】
また、本発明に係る一次成形品の二次成形装置は、前記一次成形品が、前記側壁部と、該側壁部の一端を閉じる底部とを有する有底筒状の容器からなり、前記加熱部で加熱されて変形可能となった前記容器の開口側端を底部側へ押圧する押圧部を備えていてもよい。
【００１７】
上記のように、加熱部で加熱されて変形可能となった容器の開口側端を底部側へ押圧することによって、側壁部の外側への変形を迅速に行うことができ、二次成形にかかる時間を短縮することができる。
【発明の効果】
【００１８】
以上の如く、本発明によれば、一次成形品を回転させながら加熱することによって、回転による遠心力を受けて軟化状態となった一次成形品の側壁部を成形型の成形面に沿って所望通り変形させることができるので、パーティングラインが形成されることがなく、変化に富んだ形状にすることができる一次成形品の二次成形方法及び二次成形装置を提供することができる。
【図面の簡単な説明】
【００１９】
【図１】（ａ）は本発明の二次成形装置の縦断側面図、（ｂ）は（ａ）の装置で成形した二次成形品の縦断側面図である。
【図２】同二次成形装置の正面図である。
【図３】同二次成形装置の要部の横断平面図である。
【図４】（ａ）は一次成形品の正面図であり、（ｂ）は（ａ）の一次成形品を二次成形装置で二次成形した二次成形品の正面図である。
【図５】（ａ），（ｂ）は他の形状の一次成形品を二次成形装置で二次成形した二次成形品の正面図である。
【図６】他の形状の一次成形品の正面図である。
【発明を実施するための形態】
【００２０】
図１に、本発明の二次成形装置Ｓを示している。この二次成形装置Ｓは、合成樹脂材料又は硝子材料で成形された筒状の側壁部１Ａを有する一次成形品１を二次成形するための装置である。図１（ａ）に示すように、一次成形品１は、円筒状の側壁部１Ａと、側壁部１Ａの一端（図では下端）を閉じる略円形の底部１Ｂとを有する上方が開放された有底筒状の容器（コップ）であるが、筒状の側壁部のみからなる筒状体であってもよい。側壁部１Ａは、上端側ほど直径が大きくなるテーパー形状になっている。尚、図１（ａ）において左側を前とし、右側を後とし、図２において左側を左とし、右側を右とし、図３において、左側を左とし、右側を右とし、下側を前とし、上側を後として、それぞれ説明する。
【００２１】
二次成形装置は、一次成形品１を加熱する加熱部２と、加熱部２で加熱される一次成形品１を回転させる回転部３と、回転部３で回転させることによって外側に変形する一次成形品１を受け止めて所定形状に成形するための成形面４１１，４２１を有する成形型４と、を台フレーム５の上に備えている。
【００２２】
加熱部２は、一次成形品１を、軟化点以上で融点未満の温度になるように加熱温度を設定できるように構成されている。具体的には、加熱部２は、ガン状放熱器であるヒートガンから構成され、本体部２Ａと本体部２Ａの先端（図１では下端）に備えたノズル部２Ｂとを備え、ノズル部２Ｂの先端から下方に向かって熱風が吹き出るようになっている。
【００２３】
加熱部２は、下側ほど下方に位置する斜め下方に延びるアーム６の先端部（下端部）に保持されている。このアーム６の基端部が、長手方向が上下方向に沿うように取り付けられた単軸ロボット７に取り付けられており、アーム６を介して加熱部２を上下方向に移動させることができるようになっている。従って、アーム６が下方に移動することによって、図1の実線で示すように加熱部２のノズル部２Ｂが成形型４内に位置する加熱位置と、アーム６が上方に移動することによって、図1の２点鎖線で示すように加熱部２のノズル部２Ｂを成形型４の上方へ退避させた退避位置とに加熱部２を位置変更させることができる。また、加熱部２の先端側部分には、前記加熱位置において成形型４の上端の開口４Ｋを閉じる円板状の熱保護板８が取り付けられている。単軸ロボット７は、台フレーム５に立設された縦長状の固定フレーム９の上端に前後方向に位置調整可能に取り付けられた支持体１０に取り付けられている。一次成形品１が、例えば硝子材料で成形されている場合には、変形温度となる７００℃〜７５０℃の間の任意の温度になるように加熱部２の加熱温度を設定する。また、一次成形品１が、ポリプロピレンの場合には、変形温度が１２８℃〜１６７℃であり、また、ポリスチレンの場合には、変形温度が９０℃から１０４℃であるが、これら変形温度は、材料によって異なる。尚、一次成形品１を成形する熱可塑性樹脂には、ポリオレフィン系樹脂、ポリエステル系樹脂（例えばポリエチレンテレフタレート、ポリブチレンテレフタレート、ポリエチレンナフタレート）、ポリカーボネ―ト系樹脂、ポリ乳酸系樹脂などが挙げられる。
【００２４】
回転部３は、成形型４が載置される円板状の円板部材３Ａと、電動モータ３Ｂと、電動モータ３Ｂの回転力を円板部材３Ａに伝達するための伝動機構３Ｃとを備えている。円板部材３Ａの回転数は、一次成形品１の大きさや重量等を考慮して、約６００ｒｐｍ〜１２００ｒｐｍの間の任意の回転数に設定することができる。尚、ここでは、一次成形品１がコップの場合の回転数を示しているため、一次成形品１がコップ以外のものである場合には、その一次成形品１に合った回転数を設定することになる。
【００２５】
伝動機構３Ｃは、図１及び図２に示すように、電動モータ３Ｂから動力を伝達する第1ローラチェーンカップリング１１、ギアボックス１２、第２ローラチェーンカップリング１３を備え、第２ローラチェーンカップリング１３を介して三爪スクロールチャック１４に前記動力が伝達されて円板部材３Ａが回転される。三爪スクロールチャック１４には、チャック操作用ハンドル１５を備えており、このチャック操作用ハンドル１５を操作することによって、一次成形品１を三爪スクロールチャック１４で円板部材３Ａに締め付けて固定することができる。図２に示す１６は、電動モータ３Ｂの停止時に使用する電磁ブレーキである。
【００２６】
成形型４は、木製（金属製でもよい）で半円状の２つの分割成形型４１，４２からなり、一方の分割成形型４１に対して他方の分割成形型４２が縦軸Ｘ回りで揺動開閉自在に構成されている。各分割成形型４１又は４２の内面には、成形面４１１又は４２１が形成されている。各成形面４１１又は４２１は、上端から下部側にかけて外側に円弧状に凸となる円弧状の上側成形面４１１ａ又は４２１ａと、上側成形面４１１ａ又は４２１ａの下端から略上下方向に垂下する直線状の下側成形面４１１ｂ又は４２１ｂとを備える。
【００２７】
成形型４の前方側には、作業者をガードするためのガード部材１７が、台フレーム５に立設された縦長状の固定壁１８の上端に設けられている。２つの分割成形型４１，４２は、金属製の外枠１９，２０にそれぞれビス止めされている。
【００２８】
ガード部材１７は、固定壁１８の上端に固定された固定フレーム２１に上下一対のローラスライドレール２２，２２を介して左右方向に移動自在に取り付けられている。従って、ガード部材１７に付設のＵ字状の取っ手２３を持って左右方向に移動させることによって、ガード部材１７を、成形型４の前方に位置して作業者をガードするガード位置（図３の実線参照）と、成形型４の前方から左右方向一方へ移動して他方の分割成形型４２を縦軸Ｘ回りで揺動開閉可能とする退避位置（図３の２点鎖線参照）とに位置させることができるように構成している。
【００２９】
また、本発明に係る一次成形品を二次成形するための二次成形方法は、合成樹脂材料又は硝子材料で成形された筒状（図１（ａ）では円筒状）の側壁部１Ａを有する一次成形品１を二次成形する方法であって、一次成形品１を成形型４の内側に配置し、その状態で一次成形品１を回転させながら加熱することによって一次成形品１の側壁部１Ａを成形型４の成形面４１１，４２１に沿うように変形させる変形工程を備えている。
【００３０】
一次成形品１は、材料となる合成樹脂又は硝子を溶融し、溶融した合成樹脂又は硝子を成形型内に所定の圧力で射出して成形される、あるいは成形型の内部に、チューブ状のパリソンを位置させ、そのパリソンの内部に圧力エアを吹き込んで膨らませることによって、成形型の成形面にパリソンを押し付けて成形される。このようにして成形された一次成形品は、前記二次成形装置を用いて二次成形品に成形されることになり、その成形工程について説明する。
【００３１】
まず、成形型４の内側に一次成形品１をセット（配置）し、ヒートガン２を加熱位置に位置させる。すると、熱保護板８で成形型４の上端が閉じられる。この状態において、ヒートガン２を作動させて加熱を開始するとともに電動モータ３Ｂを駆動することによって、円板部材３Ａを回転させて一次成形品１を回転させる。一次成形品１が軟化状態になると、一次成形品１の側壁部１Ａが回転による遠心力を受けて外側へ変形する。その変形する一次成形品１の側壁部１Ａを成形型４の成形面４１１，４２１で受け止めて所定形状に変形させることによって、側壁部１Ａを変化に富んだ所望の形状（上側部分が外側に円弧状に凸となるように湾曲した円弧形状）の二次成形品２４（図１（ｂ）参照）にすることができる。そして、軟化状態となった一次成形品１が遠心力を受けて変形するものであるため、成形型４が複数の分割成形型４１，４２から構成されていても、分割成形型４１，４２同士の接合部（繋ぎ目）に強固な力で押し付けられることがないため、二次成形品２４の表面の分割成形型４１，４２同士の接合部（繋ぎ目）に対応する部分に、パーティングラインが突出形成されることがない。また、前記変形により二次成形品２４の肉厚が薄い部分と厚い部分とが混在する肉厚のバラツキ（偏肉）が発生することによって、更に変化の富んだ二次成形品２４を得ることができる。
【００３２】
図１（ａ）に示す一次成形品１を外側に変形させて成形される図１（ｂ）に示す二次成形品２４は、回転による遠心力を受けて外側へ拡がるように変形して成形される。そのため、二次成形品２４の側壁部２４Ａ及び底部２４Ｂの直径が、一次成形品１の側壁部１Ａ及び底部１Ｂの直径よりも大きくなり、しかも二次成形品２４の高さが一次成形品１の高さよりも低くなっている。尚、二次成形品２４の二次成形時に、前述のように変形による肉厚のバラツキ（偏肉）が発生することになるが、一次成形品１の成形時に前記肉厚のバラツキを見越した肉厚、つまり成形された二次成形品２４の薄い部分が最低限必要となる肉厚になるように一次成形品１の肉厚を設定しておけば、強度面において不利になるようなことはない。
【００３３】
図示していないが、前記ヒートガン２（加熱部）で加熱されて変形可能となった容器（一次成形品）１の上端の開口側端を底部１Ｂ側へ押圧する押圧部（図示せず）を二次成形装置に備えていれば、加熱されて変形可能となった容器１の側壁部１Ａの外側への変形を迅速に行うことができ、二次成形にかかる時間を短縮することができる。尚、前記押圧部は、二次成形方法においては、押圧工程となり、押圧工程を備えていれば、前記同様の効果を生じる。
【００３４】
尚、本発明に係る一次成形品の二次成形方法及び一次成形品の二次成形装置は、実施形態に限定されるものではなく、本発明の要旨を逸脱しない範囲で種々の変更が可能である。
【００３５】
例えば、一次成形品１を、図４（ａ）に示すように、上端に向かうほど外拡がりとなるテーパー形状の側壁部１Ａと、側壁部１Ａの一端を閉じる円形の底部１Ｂとを有する有底筒状の容器（コップ）からなっている。前記側壁部１Ａの外面には、略楕円形状（菱形状や多角形状あるいは円形状等、どのような形状であってもよい）の凹部（模様）１Ｈが多数形成されている。その一次成形品１を二次成形した二次成形品２５を、図４（ｂ）に示している。図４（ｂ）の二次成形品２５は、側壁部２５Ａと円形の底部２５Ｂとからなっている。前記側壁部２５Ａの上部には、外側に凸となるように円弧状に湾曲した湾曲部分２５ａを備えた形状になっている。また、一次成形品１を外側に変形させて成形される二次成形品２５は、回転による遠心力を受けて外側へ拡がるように変形して成形される。そのため、二次成形品２５の側壁部２５Ａ及び底部２５Ｂの直径が、一次成形品１の側壁部１Ａ及び底部１Ｂの直径よりも大きくなり、しかも二次成形品２５の高さが一次成形品１の高さよりも低くなっている。また、外面に形成されている略楕円形状の各凹部（模様）２５Ｈは、側壁部２５Ａ及び底部２５Ｂの変形に伴って潰れることがなく、しかも前記と同様に一次成形品１に比べて二次成形品２５の方が、高さが低くて左右幅が広くなっている。図４（ａ）では、側壁部１Ａの外面に凹部（模様）１Ｈを形成したが、側壁部１Ａの内面に凹部又は凸部あるいはそれら両方が形成された模様を備えたものであってもよい。この場合も、一次成形品１を二次成形しても、側壁部１Ａの内面に形成された模様が潰れることがなく、前記と同様に一次成形品１に比べて二次成形品２５の方が、高さが低くて左右幅が広くなる模様となる。また、図４（ｂ）に示した二次成形品２５の形状も自由に変更できる。例えば図５（ａ）に示すように、下方に外側に凸となる円弧状に湾曲した下側部分２６Ｕを備えたどっしりとした安定感のある形状の二次成形品２６であってもよい。また、図５（ｂ）に示すように、側壁部２７Ａが内側に凸となる円弧状に湾曲した凹部分２７Ｋを備えた形状の二次成形品２７であってもよい。また、一次成形品１の側壁部１Ａの下端部に、図６に示すように、同一間隔で側面視略三角形状の脚部１Ｒを多数備えた形状のものを二次成形してもよい。また、図示していないが、側壁部に外側に凸となる凸部と内側に凹となる凹部とを備えた形状の二次成形品であってもよい。例えば本体の上端の口部に螺合されるキャップを備えたペットボトルにおいて、口部の内側に螺子部を形成した本体を一次成形し、その一次成形品の口部は、熱を加えないようにする。そして、本体のみに熱を加えて本体をいろんな形状に二次成形することができる。これによって、口部の外側を螺子が形成されていないフラットな面にして飲み易い口部を有する変化の富んだ形状のペットボトルを得ることができる。
【００３６】
前記実施形態では、平面視円形状の一次成形品を二次成形するようにしたが、平面視楕円形状、矩形状、多角形状等、どのような形状の一次成形品を二次成形してもよい。
【００３７】
また、前記実施形態では、一次成形品１と成形型４の両方が回転するように構成したが、成形型４は回転しない固定型とし、一次成形品１のみ回転するように構成してもよい。この場合、成形型４を、一次成形品１の外周面を全て囲う円筒状に構成しなくてもよい。つまり、一次成形品１の外周面の一部を囲うように平面視において円弧状の部分型から構成して実施することもできる。このように円弧状の部分型から構成しても、一次成形品１が回転することで部分型の内面の成形面に一次成形品１の外周面が順次当接して所定形状に成形することができる。
【００３８】
また、前記実施形態では、一次成形品１に内側から熱を加える構成であったが、一次成形品１に外側から熱を加えてもよいし、一次成形品１に内側及び外側の両方から熱を加えてもよい。また、加熱部２の具体的構成は、自由に変更できる。
【００３９】
また、前記実施形態では、成形型を２つの分割成形型４１，４２から構成したが、３つ以上の分割成形型から構成してもよい。
【符号の説明】
【００４０】
１…一次成形品（容器）、１Ａ…側壁部、１Ｂ…底部、１Ｈ…凹部、１Ｒ…脚部、２…加熱部（ヒートガン）、２Ａ…本体部、２Ｂ…ノズル部、３…回転部、３Ａ…円板部材、３Ｂ…電動モータ、３Ｃ…伝動機構、４…成形型、４Ｋ…開口、５…台フレーム、６…アーム、７…単軸ロボット、８…熱保護板、９…固定フレーム、１０…支持体、１１…第１ローラチェーンカップリング、１２…ギアボックス、１３…第２ローラチェーンカップリング、１４…三爪スクロールチャック、１５…チャック操作用ハンドル、１７…ガード部材、１８…固定壁、１９，２０…外枠、２１…固定フレーム、２２，２２…ローラスライドレール、２３…取っ手、２４…二次成形品、２４Ａ…側壁部、２４Ｂ…底部、２５…二次成形品、２５Ａ…側壁部、２５Ｂ…底部、２５Ｈ…凹部、２５ａ…湾曲部分、２６…二次成形品、２６Ｕ…下側部分、２７…二次成形品、２７Ａ…側壁部、２７Ｋ…凹部分、４１，４２…分割成形型、４１１，４２１…成形面、４１１ａ，４２１ａ…上側成形面、４１１ｂ，４２１ｂ…下側成形面、Ｓ…二次成形装置、Ｘ…縦軸
【図１】
2017087455.tif 000003
【図２】
2017087455.tif 000004
【図３】
2017087455.tif 000005
【図４】
2017087455.tif 000006
【図５】
2017087455.tif 000007
【図６】
2017087455.tif 000008